(57)【要約】【課題】診察者による被検体の適切な診断を支援することができる表示制御装置、表示制御方法、及び表示制御プログラムを得る。【解決手段】表示制御装置１０は、被検体における検査項目毎に、検査結果をプロットするためのバーであって、一方向が検査結果の値を表すバーを表示し、かつ直近の検査結果を表すマークを上記バーに表示する制御を行う第１制御部４６Ａと、所定の検査項目について、被検体個体及び被検体個体の品種と同一の品種の少なくとも一方の所定数分の検査結果を表す情報を、それぞれの検査結果の頻度に応じて異なる色又は濃度で上記バーの上記一方向に沿って表示する制御を行う第２制御部４６Ｂと、を備える。【選択図】図４
2020052718.tif 000002
【特許請求の範囲】
【請求項１】
被検体における検査項目毎に、検査結果をプロットするためのバーであって、一方向が検査結果の値を表すバーを表示し、かつ直近の検査結果を表すマークを前記バーに表示する制御を行う第１制御部と、
所定の検査項目について、前記被検体個体及び前記被検体個体の品種と同一の品種の少なくとも一方の所定数分の検査結果を表す情報を、それぞれの検査結果の頻度に応じて異なる色又は濃度で前記バーの前記一方向に沿って表示する制御を行う第２制御部と、
を備えた表示制御装置。
【請求項２】
前記被検体が動物である場合、前記品種は動物の品種であり、
前記被検体が人間である場合、前記品種は人種である
請求項１に記載の表示制御装置。
【請求項３】
前記第２制御部は、前記被検体個体の前記所定数分の検査結果を表す情報を表示する制御を行う場合、前記第１制御部による制御により表示される直近の検査結果より過去の検査結果を表す情報を表示する制御を行う
請求項１又は請求項２に記載の表示制御装置。
【請求項４】
前記第２制御部は、前記被検体個体の品種と同一の品種の前記所定数分の検査結果を表す情報を表示する制御を行う場合、前記同一の品種の検査結果を記憶する記憶装置から取得可能な全ての検査結果、又は前記全ての検査結果のうちの直近の一部の検査結果を表す情報を表示する制御を行う
請求項１又は請求項２に記載の表示制御装置。
【請求項５】
前記第２制御部は、前記被検体個体及び前記被検体個体の品種と同一の品種の双方の前記所定数分の検査結果を表す情報を表示する制御を行う
請求項３又は請求項４に記載の表示制御装置。
【請求項６】
前記第２制御部は、１つの前記検査結果を表す情報を、１つの点によって表示する制御を行う
請求項１から請求項５の何れか１項に記載の表示制御装置。
【請求項７】
前記第２制御部は、同一の値の検査結果が複数存在する場合、同一の値の検査結果を表す情報の各々を前記一方向に沿って異なる軸上に表示する制御を行う
請求項６に記載の表示制御装置。
【請求項８】
前記第２制御部は、前記所定数分の検査結果を表す情報を、ヒストグラムによって表示する制御を行う
請求項１から請求項５の何れか１項に記載の表示制御装置。
【請求項９】
前記第２制御部は、検査結果の頻度に、古い検査結果ほど小さい重み値を用いた重み付けを行って前記制御を行う
請求項１から請求項８の何れか１項に記載の表示制御装置。
【請求項１０】
前記第２制御部は、前記所定数分の検査結果の数、及び前記所定数分の検査結果における所定の時点よりも前の検査結果の割合の少なくとも一方に応じて、前記所定数分の検査結果を表す情報の表示状態を異ならせて表示する制御を行う
請求項１から請求項９の何れか１項に記載の表示制御装置。
【請求項１１】
前記第２制御部は、前記所定数分の検査結果の数、及び前記所定数分の検査結果における所定の時点よりも前の検査結果の割合の少なくとも一方に応じて、前記所定数分の検査結果を表す情報の色を異ならせて表示する制御を行う
請求項１０に記載の表示制御装置。
【請求項１２】
前記第１制御部は、直近の検査結果が異常値である場合と正常値である場合とで、前記マークの色又は濃度を異ならせて表示する制御を行う
請求項１から請求項１１の何れか１項に記載の表示制御装置。
【請求項１３】
診察者により選択された前記検査項目を受け付ける受付部を更に備え、
前記所定の検査項目は、前記受付部により受け付けられた検査項目である
請求項１から請求項１２の何れか１項に記載の表示制御装置。
【請求項１４】
前記検査項目毎に、検査結果が異常値であるか否かを判定する判定部を更に備え、
前記所定の検査項目は、前記判定部により検査結果が異常値であると判定された検査項目である
請求項１から請求項１２の何れか１項に記載の表示制御装置。
【請求項１５】
診察者により選択された前記検査項目を受け付ける受付部と、
前記受付部により受け付けられた検査項目について、前記被検体個体の直近の検査結果と、過去の検査結果でかつ直近の検査結果から所定数分の検査結果とを含む検査結果の履歴を表すグラフを表示する制御を行う第３制御部と、
を更に備えた請求項１から請求項１２の何れか１項に記載の表示制御装置。
【請求項１６】
被検体における検査項目毎に、検査結果をプロットするためのバーであって、一方向が検査結果の値を表すバーを表示し、かつ直近の検査結果を表すマークを前記バーに表示する制御を行い、
所定の検査項目について、前記被検体個体及び前記被検体個体の品種と同一の品種の少なくとも一方の所定数分の検査結果を表す情報を、それぞれの検査結果の頻度に応じて異なる色又は濃度で前記バーの前記一方向に沿って表示する制御を行う
処理をコンピュータが実行する表示制御方法。
【請求項１７】
被検体における検査項目毎に、検査結果をプロットするためのバーであって、一方向が検査結果の値を表すバーを表示し、かつ直近の検査結果を表すマークを前記バーに表示する制御を行い、
所定の検査項目について、前記被検体個体及び前記被検体個体の品種と同一の品種の少なくとも一方の所定数分の検査結果を表す情報を、それぞれの検査結果の頻度に応じて異なる色又は濃度で前記バーの前記一方向に沿って表示する制御を行う
処理をコンピュータに実行させるための表示制御プログラム。
【請求項１８】
被検体における検査項目毎に、検査結果をプロットするためのバーであって、一方向が検査結果の値を表すバーを表示し、かつ直近の検査結果を表すマークを前記バーに表示する制御を行う第１制御部と、
所定の検査項目について、前記被検体個体及び前記被検体個体の品種と同一の品種の少なくとも一方の所定数分の検査結果を表す情報を、同一の色及び濃度のヒストグラムによって前記バーの前記一方向に沿って表示する制御を行う第２制御部と、
を備えた表示制御装置。
【請求項１９】
被検体における検査項目毎に、検査結果をプロットするためのバーであって、一方向が検査結果の値を表すバーを表示し、かつ直近の検査結果を表すマークを前記バーに表示する制御を行い、
所定の検査項目について、前記被検体個体及び前記被検体個体の品種と同一の品種の少なくとも一方の所定数分の検査結果を表す情報を、同一の色及び濃度のヒストグラムによって前記バーの前記一方向に沿って表示する制御を行う
処理をコンピュータが実行する表示制御方法。
【請求項２０】
被検体における検査項目毎に、検査結果をプロットするためのバーであって、一方向が検査結果の値を表すバーを表示し、かつ直近の検査結果を表すマークを前記バーに表示する制御を行い、
所定の検査項目について、前記被検体個体及び前記被検体個体の品種と同一の品種の少なくとも一方の所定数分の検査結果を表す情報を、同一の色及び濃度のヒストグラムによって前記バーの前記一方向に沿って表示する制御を行う
処理をコンピュータに実行させるための表示制御プログラム。
【発明の詳細な説明】
【技術分野】
【０００１】
本開示は、表示制御装置、表示制御方法、及び表示制御プログラムに関する。
【背景技術】
【０００２】
被検体である動物の検査結果の判断に関する情報として、検査項目毎に、直近の検査結果と検査結果の正常値の範囲とを表示する表示方法が開示されている（特許文献１参照）。この表示方法では、更に、直近の検査結果が、正常値の範囲に対して過小であるか、正常であるか、又は過大であるかを、スライドバーを並べて表示することによって、直近の検査結果が正常であるか否かを判断し易くなっている。
【先行技術文献】
【特許文献】
【０００３】
【特許文献１】特開２００９−１４５１１５号公報
【発明の概要】
【発明が解決しようとする課題】
【０００４】
しかしながら、特許文献１に記載の技術では、例えば、直近の検査結果が異常値であった場合に、たまたま異常であったのか、それとも、異常の傾向が強いのかを判断することができない。同様に、例えば、直近の検査結果が正常値であった場合に、たまたま正常であったのか、それとも、正常の傾向が強いのかを判断することもできない。このため、医師等の診察者による被検体の適切な診断を支援することができない、という問題点があった。
【０００５】
本開示は、以上の事情を鑑みて成されたものであり、診察者による被検体の適切な診断を支援することができる表示制御装置、表示制御方法、及び表示制御プログラムを提供することを目的とする。
【課題を解決するための手段】
【０００６】
上記目的を達成するために、本開示の表示制御装置は、被検体における検査項目毎に、検査結果をプロットするためのバーであって、一方向が検査結果の値を表すバーを表示し、かつ直近の検査結果を表すマークをバーに表示する制御を行う第１制御部と、所定の検査項目について、被検体個体及び被検体個体の品種と同一の品種の少なくとも一方の所定数分の検査結果を表す情報を、それぞれの検査結果の頻度に応じて異なる色又は濃度でバーの上記一方向に沿って表示する制御を行う第２制御部と、を備える。
【０００７】
なお、本開示の表示制御装置は、被検体が動物である場合、品種が動物の品種であり、被検体が人間である場合、品種が人種であってもよい。
【０００８】
また、本開示の表示制御装置は、第２制御部が、被検体個体の所定数分の検査結果を表す情報を表示する制御を行う場合、第１制御部による制御により表示される直近の検査結果より過去の検査結果を表す情報を表示する制御を行ってもよい。
【０００９】
また、本開示の表示制御装置は、第２制御部が、被検体個体の品種と同一の品種の所定数分の検査結果を表す情報を表示する制御を行う場合、同一の品種の検査結果を記憶する記憶装置から取得可能な全ての検査結果、又は全ての検査結果のうちの直近の一部の検査結果を表す情報を表示する制御を行ってもよい。
【００１０】
また、本開示の表示制御装置は、第２制御部が、被検体個体及び被検体個体の品種と同一の品種の双方の所定数分の検査結果を表す情報を表示する制御を行ってもよい。
【００１１】
また、本開示の表示制御装置は、第２制御部が、１つの検査結果を表す情報を、１つの点によって表示する制御を行ってもよい。
【００１２】
また、本開示の表示制御装置は、第２制御部が、同一の値の検査結果が複数存在する場合、同一の値の検査結果を表す情報の各々を上記一方向に沿って異なる軸上に表示する制御を行ってもよい。
【００１３】
また、本開示の表示制御装置は、第２制御部が、所定数分の検査結果を表す情報を、ヒストグラムによって表示する制御を行ってもよい。
【００１４】
また、本開示の表示制御装置は、第２制御部が、検査結果の頻度に、古い検査結果ほど小さい重み値を用いた重み付けを行って上記制御を行ってもよい。
【００１５】
また、本開示の表示制御装置は、第２制御部が、所定数分の検査結果の数、及び所定数分の検査結果における所定の時点よりも前の検査結果の割合の少なくとも一方に応じて、所定数分の検査結果を表す情報の表示状態を異ならせて表示する制御を行ってもよい。
【００１６】
また、本開示の表示制御装置は、第２制御部が、所定数分の検査結果の数、及び所定数分の検査結果における所定の時点よりも前の検査結果の割合の少なくとも一方に応じて、所定数分の検査結果を表す情報の色を異ならせて表示する制御を行ってもよい。
【００１７】
また、本開示の表示制御装置は、第１制御部が、直近の検査結果が異常値である場合と正常値である場合とで、マークの色又は濃度を異ならせて表示する制御を行ってもよい。
【００１８】
また、本開示の表示制御装置は、診察者により選択された検査項目を受け付ける受付部を更に備え、所定の検査項目が、受付部により受け付けられた検査項目であってもよい。
【００１９】
また、本開示の表示制御装置は、検査項目毎に、検査結果が異常値であるか否かを判定する判定部を更に備え、所定の検査項目が、判定部により検査結果が異常値であると判定された検査項目であってもよい。
【００２０】
また、本開示の表示制御装置は、診察者により選択された検査項目を受け付ける受付部と、受付部により受け付けられた検査項目について、被検体個体の直近の検査結果と、過去の検査結果でかつ直近の検査結果から所定数分の検査結果とを含む検査結果の履歴を表すグラフを表示する制御を行う第３制御部と、を更に備えてもよい。
【００２１】
また、上記目的を達成するために、本開示の表示制御方法は、被検体における検査項目毎に、検査結果をプロットするためのバーであって、一方向が検査結果の値を表すバーを表示し、かつ直近の検査結果を表すマークをバーに表示する制御を行い、所定の検査項目について、被検体個体及び被検体個体の品種と同一の品種の少なくとも一方の所定数分の検査結果を表す情報を、それぞれの検査結果の頻度に応じて異なる色又は濃度でバーの上記一方向に沿って表示する制御を行う処理をコンピュータが実行するものである。
【００２２】
また、上記目的を達成するために、本開示の表示制御プログラムは、被検体における検査項目毎に、検査結果をプロットするためのバーであって、一方向が検査結果の値を表すバーを表示し、かつ直近の検査結果を表すマークをバーに表示する制御を行い、所定の検査項目について、被検体個体及び被検体個体の品種と同一の品種の少なくとも一方の所定数分の検査結果を表す情報を、それぞれの検査結果の頻度に応じて異なる色又は濃度でバーの上記一方向に沿って表示する制御を行う処理をコンピュータに実行させるためのものである。
【００２３】
また、上記目的を達成するために、本開示の表示制御装置は、被検体における検査項目毎に、検査結果をプロットするためのバーであって、一方向が検査結果の値を表すバーを表示し、かつ直近の検査結果を表すマークをバーに表示する制御を行う第１制御部と、所定の検査項目について、被検体個体及び被検体個体の品種と同一の品種の少なくとも一方の所定数分の検査結果を表す情報を、同一の色及び濃度のヒストグラムによってバーの上記一方向に沿って表示する制御を行う第２制御部と、を備える。
【００２４】
また、上記目的を達成するために、本開示の表示制御方法は、被検体における検査項目毎に、検査結果をプロットするためのバーであって、一方向が検査結果の値を表すバーを表示し、かつ直近の検査結果を表すマークをバーに表示する制御を行い、所定の検査項目について、被検体個体及び被検体個体の品種と同一の品種の少なくとも一方の所定数分の検査結果を表す情報を、同一の色及び濃度のヒストグラムによってバーの上記一方向に沿って表示する制御を行う処理をコンピュータが実行するものである。
【００２５】
また、上記目的を達成するために、本開示の表示制御プログラムは、被検体における検査項目毎に、検査結果をプロットするためのバーであって、一方向が検査結果の値を表すバーを表示し、かつ直近の検査結果を表すマークをバーに表示する制御を行い、所定の検査項目について、被検体個体及び被検体個体の品種と同一の品種の少なくとも一方の所定数分の検査結果を表す情報を、同一の色及び濃度のヒストグラムによってバーの上記一方向に沿って表示する制御を行う処理をコンピュータに実行させるためのものである。
【００２６】
また、本開示の表示制御装置は、コンピュータに実行させるための命令を記憶するメモリと、記憶された命令を実行するよう構成されたプロセッサと、を備え、プロセッサは、被検体における検査項目毎に、検査結果をプロットするためのバーであって、一方向が検査結果の値を表すバーを表示し、かつ直近の検査結果を表すマークをバーに表示する制御を行い、所定の検査項目について、被検体個体及び被検体個体の品種と同一の品種の少なくとも一方の所定数分の検査結果を表す情報を、それぞれの検査結果の頻度に応じて異なる色又は濃度でバーの上記一方向に沿って表示する制御を行う。
【００２７】
また、本開示の表示制御装置は、コンピュータに実行させるための命令を記憶するメモリと、記憶された命令を実行するよう構成されたプロセッサと、を備え、プロセッサは、被検体における検査項目毎に、検査結果をプロットするためのバーであって、一方向が検査結果の値を表すバーを表示し、かつ直近の検査結果を表すマークをバーに表示する制御を行い、所定の検査項目について、被検体個体及び被検体個体の品種と同一の品種の少なくとも一方の所定数分の検査結果を表す情報を、同一の色及び濃度のヒストグラムによってバーの上記一方向に沿って表示する制御を行う。
【発明の効果】
【００２８】
本開示によれば、診察者による被検体の適切な診断を支援することができる。
【図面の簡単な説明】
【００２９】
【図１】実施形態に係る表示制御装置の配置場所の一例を示す平面図である。
【図２】実施形態に係る検査結果テーブルの一例を示す図である。
【図３】実施形態に係る表示制御装置のハードウェア構成の一例を示すブロック図である。
【図４】実施形態に係る表示制御装置の機能的な構成の一例を示すブロック図である。
【図５】実施形態に係る第１表示画面の一例を示す図である。
【図６】実施形態に係る第１表示画面の一例を示す図である。
【図７】実施形態に係る第２表示画面の一例を示す図である。
【図８】変形例に係る第２表示画面の一例を示す図である。
【図９】実施形態に係る第２表示画面の一例を示す図である。
【図１０】実施形態に係る表示制御処理の一例を示すフローチャートである。
【図１１】変形例に係る表示画面の一部を拡大した拡大図である。
【図１２】変形例に係る表示画面の一部を拡大した拡大図である。
【図１３】変形例に係る表示画面の一部を拡大した拡大図である。
【図１４】変形例に係る表示画面の一部を拡大した拡大図である。
【図１５】変形例に係る表示画面の一部を拡大した拡大図である。
【図１６】変形例に係る表示画面の一部を拡大した拡大図である。
【図１７】変形例に係る表示画面の一部を拡大した拡大図である。
【図１８】変形例に係る表示画面の一部を拡大した拡大図である。
【図１９】変形例に係る検査結果の履歴を表すグラフの一例を示す図である。
【発明を実施するための形態】
【００３０】
以下、図面を参照して、本開示の技術を実施するための形態例を詳細に説明する。
【００３１】
まず、図１を参照して、本実施形態に係る表示制御装置１０の配置場所を説明する。図１に示すように、表示制御装置１０は、動物病院の診察室及びバックヤードに設けられた表示装置１２に対応してバックヤードに設けられている。表示装置１２は、表示制御装置１０に接続され、表示制御装置１０によって表示が制御される。表示制御装置１０の例としては、パーソナルコンピュータが挙げられ、表示装置１２の例としては、液晶ディスプレイが挙げられる。表示装置１２は、被検体の動物の飼い主への説明のために診察室に設けられ、検査結果を予め確認するためにバックヤードにも設けられる。
【００３２】
また、バックヤードには、検査結果テーブル１６を記憶する記憶装置の一例としてのストレージ装置１４が設けられている。各表示制御装置１０とストレージ装置１４とは、通信可能に接続される。なお、ストレージ装置１４は、例えば、インターネット等のネットワークを介して通信可能なクラウドサーバであってもよい。検査機器による検査を行って得られた検査結果データは、検査機器からネットワークを介してストレージ装置１４に転送される。検査機器の例としては、血液検査の場合には蛋白、酵素、窒素、及び電解質等を検査する生化学検査機が挙げられる。また、検査機器の例としては、免疫等を検査する免疫検査機、及び血球を検査する血球計数計等が挙げられる。更に、検査室では、Ｘ線画像診断装置、超音波診断装置、及び内視鏡等で検査が行われる場合もあり、これらの装置からも画像等の情報がネットワークを介してストレージ装置１４に転送されてもよい。
【００３３】
図２に、検査結果テーブル１６の一例を示す。図２に示すように、検査結果テーブル１６には、被検体の動物毎に、識別情報の一例としてのＩＤ（IDentifier）、名前、性別、年齢、種族、品種、及び検査結果情報が記憶される。検査結果情報には、検査の実施日、検査が健康診断であるか否かを表す情報（図２では、「健診」と表記）が記憶される。図２の例では、健診列が「Ｙ」の検査結果は、健康診断で行われる検査項目に対応する検査結果を表し、「Ｎ」の検査結果は、健康診断で行われる検査項目とは異なる検査項目を含む不定期検査に対応する検査結果を表す。
【００３４】
ここでいう不定期検査とは、定期的に行う健康診断とは異なる検査を意味し、例えば、獣医師等の診察者による診察の結果、特定の疾患の診断のために行われる検査等が挙げられる。なお、不定期検査で行われる検査項目は、健康診断で行われる検査項目を含む場合もある。
【００３５】
また、検査結果情報には、検査が動物病院内に設置された検査機器で行われたのか、又は動物病院外の他の施設で行われたのかを表す情報（図２では、「院内」と表記）も記憶される。なお、以下では、動物病院内に設置された検査機器で行われた検査を「院内検査」といい、動物病院外の他の施設で行われた検査を「院外検査」という。図２の例では、院内列が「Ｙ」の検査結果は、院内検査により得られた検査結果を表し、「Ｎ」の検査結果は、院外検査により得られた検査結果を表す。更に、検査結果情報には、検査機器による検査により得られた各検査項目の検査結果（測定値）も記憶される。
【００３６】
次に、図３を参照して、本実施形態に係る表示制御装置１０のハードウェア構成を説明する。図３に示すように、表示制御装置１０は、ＣＰＵ（Central Processing Unit）２０、一時記憶領域としてのメモリ２１、及び不揮発性の記憶部２２を含む。また、表示制御装置１０は、表示装置１２が接続される外部Ｉ／Ｆ（InterFace）２３、キーボードとマウス等の入力部２４、及びネットワークに接続されるネットワークＩ／Ｆ２５を含む。ＣＰＵ２０、メモリ２１、記憶部２２、外部Ｉ／Ｆ２３、入力部２４、及びネットワークＩ／Ｆ２５は、バス２６に接続される。なお、表示装置１２は、表示部とタッチパネルとが一体化されており、表示装置１２に対するユーザの入力は、外部Ｉ／Ｆ２３を介して表示制御装置１０に入力される。
【００３７】
記憶部２２は、ＨＤＤ（Hard Disk Drive）、ＳＳＤ（Solid State Drive）、及びフラッシュメモリ等によって実現される。記憶媒体としての記憶部２２には、表示制御プログラム３０が記憶される。ＣＰＵ２０は、記憶部２２から表示制御プログラム３０を読み出してからメモリ２１に展開し、展開した表示制御プログラム３０を実行する。
【００３８】
次に、図４を参照して、本実施形態に係る表示制御装置１０の機能的な構成について説明する。図４に示すように、表示制御装置１０は、受付部４０、取得部４２、判定部４４、表示制御部４６、及び印刷制御部４８を含む。また、表示制御部４６は、第１制御部４６Ａ、第２制御部４６Ｂ、及び第３制御部４６Ｃを含む。ＣＰＵ２０が表示制御プログラム３０を実行することで、受付部４０、取得部４２、判定部４４、表示制御部４６、及び印刷制御部４８として機能する。
【００３９】
受付部４０は、診察者により入力された、健康診断の検査結果を表示する第１表示画面の表示指示を受け付ける。また、受付部４０は、診察者により入力された、不定期検査の検査結果を表示する第２表示画面の表示指示を受け付ける。これらの表示指示には、検査結果の表示対象とする動物のＩＤが含まれる。また、受付部４０は、診察者により入力された印刷指示を受け付ける。また、受付部４０は、診察者により選択された検査項目を受け付ける。
【００４０】
取得部４２は、検査結果テーブル１６を参照し、受付部４０により受け付けられたＩＤに対応する名前、性別、年齢、種族、品種、及び検査結果情報を取得する。
【００４１】
判定部４４は、取得部４２により取得された検査結果情報に含まれる検査項目毎に、検査結果が異常値であるか否かを判定する。具体的には、判定部４４は、検査結果が動物の種族毎で、かつ検査項目毎に予め定められた正常値の下限値以上で、かつ上限値以下である場合、検査結果が正常値であると判定する。また、判定部４４は、検査結果が正常値の下限値未満であるか、又は正常値の上限値を超える場合、検査結果が異常値であると判定する。なお、以下では、この正常値の下限値以上で、かつ上限値以下の範囲を「正常値範囲」といい、正常値の下限値未満の範囲、及び上限値を超える範囲を「異常値範囲」という。なお、この正常値の下限値及び上限値は、動物の品種毎で、かつ検査項目毎に予め定められていてもよい。
【００４２】
第１制御部４６Ａは、受付部４０により受け付けられた表示指示に応じて第１表示画面と第２表示画面とを切り替える制御を行う。また、第１制御部４６Ａは、各表示画面において、被検体における検査項目毎に、検査結果をプロットするためのバーであって、一方向が検査結果の値を表すバーを表示装置１２に表示し、かつ直近の検査結果を表すマークをバーに表示する制御を行う。この制御の際、第１制御部４６Ａは、直近の検査結果が異常値である場合と正常値である場合とで、マークの色を異ならせて表示する制御を行う。更に、第１制御部４６Ａは、直近の検査結果が異常値である検査項目について、検査結果が正常値の下限値未満の場合と上限値を超える場合とで、マークの色を異ならせて表示する制御を行う。なお、第１制御部４６Ａは、直近の検査結果が異常値である場合と正常値である場合とで、マークの濃度を異ならせて表示する制御を行ってもよい。
【００４３】
また、第１制御部４６Ａは、上記バーを表示する制御を行う際に、正常値範囲と異常値範囲とを視認可能に表示する制御を行う。また、第１制御部４６Ａは、上記バーを表示する制御を行う際に、直近の検査結果が院内検査により得られた結果であるか、又は院外検査により得られた結果であるかを区別可能に表示する制御を行う。
【００４４】
第２制御部４６Ｂは、各表示画面において、所定の検査項目について、被検体個体の所定数分の検査結果を表す情報を、それぞれの検査結果の頻度に応じて異なる濃度で上記バーの上記一方向に沿って表示する制御を行う。本実施形態では、第２制御部４６Ｂは、上記所定の検査項目として、直近に行われた全ての検査項目について、上記の制御を行う。更に、この制御の際、第２制御部４６Ｂは、第１制御部４６Ａによる制御により表示される直近の検査結果より過去の所定数分の検査結果を表す情報を表示する制御を行う。具体的には、この制御の際、第２制御部４６Ｂは、所定数分の検査結果として、検査結果テーブル１６に記憶されている直近の検査結果より過去の全ての検査結果を用いる。
【００４５】
また、第２制御部４６Ｂは、１つの検査結果を表す情報を、１つの矩形の点によって表示する制御を行う。すなわち、検査結果の頻度が高いほど、多くの点が重なって表示されることによって濃度が高くなる。なお、１つの検査結果を表す情報を表す点の形は特に限定されず、円形等の矩形以外の形であってもよい。
【００４６】
第３制御部４６Ｃは、各表示画面において、診察者により検査項目が選択された場合、受付部４０により受け付けられた選択項目について、以下に示すグラフを表示する制御を行う。すなわち、この場合、第３制御部４６Ｃは、被検体個体の直近の検査結果と、過去の検査結果でかつ直近の検査結果から所定数分の検査結果とを含む検査結果の履歴を表すグラフを表示する制御を行う。なお、第３制御部４６Ｃは、上記グラフにおいて、正常値範囲と異常値範囲との何れか一方を視認可能に表示する制御を行ってもよい。
【００４７】
また、第３制御部４６Ｃは、第１表示画面におけるグラフとして表示する過去の検査結果の数は、第２表示画面におけるグラフとして表示する過去の検査結果の数よりも多くする。
【００４８】
また、第３制御部４６Ｃは、第２表示画面において、不定期検査における検査項目のうち、健康診断にも含まれる検査項目については、検査結果の履歴として健康診断の検査結果を含めてグラフを表示装置１２に表示する制御を行う。
【００４９】
印刷制御部４８は、受付部４０により印刷指示が受け付けられた場合、不図示の印刷装置に対し、表示装置１２に表示されている画面を、１枚の用紙に収まるようにレイアウトして印刷する制御を行う。また、印刷はカラーで行われることが望ましい。また、印刷された表示結果を後日に見た場合に、異常値である検査項目がどれであったかを見つけやすいように、文章での記載（例えば、「血糖値、ＡＳＴ／ＧＯＴが上限超え」等）を行ってもよい。あるいは、検査結果が異常値である検査項目のフォントを太字に変更したり、下線を付したり、及び別フォントに（例えば、ゴシックからイタリック等に）変更したりすることによって強調してもよい。また、印刷装置が白黒機の場合でも検査結果が異常値である検査項目が判別しやすいように、検査結果が異常値である検査項目のフォントを太字に変更したりすることによって強調してもよい。更に、この場合、検査結果が異常値である検査項目の文字に下線を付したり、別フォントに変更したり、フォントサイズを検査結果が正常値である検査項目よりも大きくしたり、塗りつぶしの白抜き（例えば、文字が白で周縁が黒）としたりすること等で強調してもよい。
【００５０】
図５に、第１表示画面の一例を示す。図５に示すように、本実施形態に係る第１表示画面は、表示領域６０、６２、６４を含む。表示領域６０は、ヘッダー部であり、表示領域６０には、被検体の動物のＩＤ、名前、性別、年齢、種族、及び品種が表示される。
【００５１】
表示領域６４には、第１制御部４６Ａ及び第２制御部４６Ｂによる制御によって、直近の検査結果の一覧が表示される。図５に示すように、この検査結果の一覧は、検査項目毎に検査結果の値、及び検査結果をプロットするためのバー７０が表示され、直近の検査結果を表すマーク７１がバー７０に表示される。また、バー７０は、一方向（図５の例では、正面視横方向）が検査結果の値を表している。なお、図５では、バー７０の形として矩形を適用しているが、特に限定されず、例えば、バー７０の形として楕円形等の矩形以外の形を適用してもよい。また、図５では、マーク７１の形として円形を適用しているが、特に限定されず、例えば、マーク７１の形として矩形等の円形以外の形を適用してもよい。
【００５２】
また、マーク７１の色は、検査結果に応じて色が異なっている。本実施形態では、マーク７１の色は、検査結果が正常値の場合に黒色とされる。また、マーク７１の色は、検査結果が異常値で、かつ正常値の下限値未満の場合に青色とされ、検査結果が異常値で、かつ正常値の上限値を超える場合に赤色とされる。なお、マーク７１の色の組み合わせは、上記の例に限定されない。また、マーク７１の色は、一律同じ色であってもよい。
【００５３】
また、バー７０は、正常値範囲が、例えば白色で網掛けされることによって、正常値範囲と異常値範囲とが視認可能に表示される。また、バー７０の正面視下側には、正常値の下限値及び上限値が表示される。また、検査結果が院外検査により得られた検査である場合は、検査結果の値の正面視右上に、院外検査により得られた検査結果であることを表すマーク７２が表示される。一方、検査結果が院内検査により得られた検査である場合は、検査結果の値の正面視右上にはマーク７２が表示されない。従って、マーク７２の有無によって、検査結果が院内検査により得られた結果であるか、又は院外検査により得られた結果であるかを区別可能になっている。
【００５４】
また、バー７０の正面視下側には、第２制御部４６Ｂによる制御によって、直近の検査結果より過去の所定数分の検査結果を表す情報７３が、それぞれの頻度に応じて異なる濃度で表示される。本実施形態では、過去の１つの検査結果が、その検査結果の値に対応するバー７０の上記一方向に沿った位置に、１つの矩形の点によってプロットされる。従って、情報７３は、頻度が高いほど点が重なることによって濃度が高くなり、頻度に応じたグラデーションを有する矩形で表示される。なお、情報７３は、バー７０の正面視上側に表示されてもよい。また、情報７３は、バー７０の内側の領域に（すなわち、バー７０上に）表示されてもよい。
【００５５】
診察者は、表示領域６４に表示された情報を確認し、着目する検査項目について、入力部２４又は表示装置１２を介して選択する操作を行う。なお、この選択する操作としては検査結果を１回指定する操作（例えば、シングルクリック）、又は検査結果を２回連続して指定する操作（例えば、ダブルクリック）等が挙げられる。この選択する操作が行われることによって受付部４０が診察者により選択された検査項目を受け付けると、第３制御部４６Ｃによる制御によって、図６に示すように、選択された検査項目に関するグラフが表示領域６２に表示される。
【００５６】
図６に示すように、表示領域６４における診察者により選択された検査項目の正面視左側に、選択されたことを表すチェックマーク７４が表示される。図６では、「総蛋白」、「ＡＳＴ／ＧＯＴ」、「リパーゼ」、及び「尿素窒素」の４つの検査項目が選択された例を示している。
【００５７】
また、図６に示すように、表示領域６２には、選択された検査項目について被検体個体の直近の検査結果と、過去の検査結果でかつ直近の検査結果から所定数分の検査結果とを含む検査結果の履歴を表すグラフが表示される。本実施形態では、直近の検査結果及び直近の検査結果より過去の５つの検査結果の計６つの検査結果の履歴を表すグラフが表示される。図６に示すグラフの縦軸は検査結果を表す第１の軸であり、横軸は時系列を表す第２の軸である。また、例えば、グラフの表示領域の背景色について、正常値範囲は白とし、かつ異常値範囲はグレーとすることによって、正常値範囲と異常値範囲とが視認可能になっている。また、グラフにプロットされている点の色は、マーク７１の色と同様に、正常値の下限値未満である異常値に対応する点は青色、正常値の上限値を超える異常値に対応する点は赤色、正常値に対応する点は黒色とされている。
【００５８】
なお、表示領域６２におけるグラフの表示順序は特に限定されない。例えば、診察者により選択された順に正面視上から表示してもよいし、検査結果の異常の度合いが高いほど優先的に（例えば、正面視上の位置に）グラフを表示してもよい。この場合における異常の度合いは、検査結果が正常値の下限値未満である場合は、下限値に対する検査結果と下限値との差の絶対値の比とし、検査結果が正常値の上限値を超える場合は、上限値に対する検査結果と上限値との差の絶対値の比とする形態が例示される。更に、この場合、上記の比が大きいほど異常の度合いが高いとする形態が例示される。また、この異常の度合いをＡＩ（Artificial Intelligence）技術によって導出してもよい。この場合のＡＩとして、検査結果が異常値である検査項目の検査結果の履歴を入力とし、異常の度合いを出力としたディープニューラルネットワークを適用する形態が例示される。
【００５９】
また、表示領域６２の上部には、検査ボタンと健康診断ボタンとが表示され、第１表示画面が表示されている状態で、診察者が検査ボタンを指定することによって、第２表示画面に切り替えることが可能となっている。同様に、後述する第２表示画面が表示されている状態で、診察者が健康診断ボタンを指定することによって、第１表示画面に切り替えることが可能となっている。
【００６０】
図７に、第２表示画面の一例を示す。図７に示すように、本実施形態に係る第２表示画面も、第１表示画面と同様に、表示領域６０、６２、６４を含む。以下では、第２表示画面における第１表示画面と異なる部分についてのみ説明する。
【００６１】
図７に示すように、第２表示画面では、表示領域６４の検査結果の一覧に、不定期検査における検査項目のうち、健康診断にも含まれる検査項目については、検査結果の履歴として健康診断の検査結果が表示される。また、第２表示画面における表示領域６４の検査結果の一覧では、直近の不定期検査には含まれず、かつ過去の健康診断には含まれる検査項目（図７の例では「Ａ／Ｇ比」等）については、直近の不定期検査の検査結果が表示されない。
【００６２】
なお、一例として図８に示すように、第２表示画面における表示領域６４の検査結果の一覧において、直近の不定期検査には含まれず、かつ過去の健康診断には含まれる検査項目（例えば、図７に示す「Ａ／Ｇ比」等）については、検査項目自体を表示しないようにしてもよい。
【００６３】
また、第２表示画面においても、第１表示画面と同様に、受付部４０が診察者により選択された検査項目を受け付けると、第３制御部４６Ｃによる制御によって、図９に示すように、選択された検査項目に関するグラフが表示領域６２に表示される。第２表示画面では、表示領域６２のグラフに履歴として表示される検査結果の数が第１表示画面よりも少なくなっている。また、第２表示画面では、表示領域６２のグラフに、直近の不定期検査における検査項目のうち、健康診断にも含まれる検査項目については、検査結果の履歴として健康診断の検査結果が含まれている。
【００６４】
次に、図１０を参照して、本実施形態に係る表示制御装置１０の作用を説明する。ＣＰＵ２０が表示制御プログラム３０を実行することによって、図１０に示す表示制御処理が実行される。図１０に示す表示制御処理は、例えば、診察者により入力された被検体の動物のＩＤを含む画面の表示指示を表示制御装置１０が受信した場合に実行される。
【００６５】
図１０のステップＳ１０で、受付部４０は、診察者により入力された被検体の動物のＩＤを含む画面の表示指示を受け付ける。ステップＳ１２で、取得部４２は、検査結果テーブル１６を参照し、ステップＳ１０の処理により受け付けられたＩＤに対応する名前、性別、年齢、種族、品種、及び検査結果情報を取得する。
【００６６】
ステップＳ１４で、判定部４４は、前述したように、ステップＳ１２の処理により取得された検査結果情報に含まれる検査項目毎に、検査結果が異常値であるか否かを判定する。ステップＳ１６で、第１制御部４６Ａ及び第２制御部４６Ｂは、前述したように、ステップＳ１２の処理により取得された各種情報、及びステップＳ１４の処理による判定結果に基づいて、第１表示画面を表示装置１２に表示する制御を行う。この制御の際、第１制御部４６Ａ及び第２制御部４６Ｂは、前述したように、第１表示画面の表示領域６４に、直近の健康診断の検査結果の一覧を表示する制御を行う。このように、本実施形態では、初期画面として第１表示画面を表示装置１２に表示しているが、初期画面として第２表示画面を表示してもよい。また、初期画面として第１表示画面及び第２表示画面の何れを表示するかを診察者に選択させてもよい。
【００６７】
ステップＳ１８で、受付部４０は、診察者による入力を受け付ける。ステップＳ２０で、第１制御部４６Ａは、ステップＳ１８の処理により受け付けられた入力が、第１表示画面と第２表示画面との切り替え指示であるか否かを判定する。この判定が否定判定となった場合は、処理はステップＳ２４に移行し、肯定判定となった場合は、処理はステップＳ２２に移行する。具体的には、第１表示画面が表示されている状態で検査ボタンが指定されるか、又は、第２表示画面が表示されている状態で健康診断ボタンが指定されると、ステップＳ２０の判定が肯定判定となる。
【００６８】
ステップＳ２２で、第１制御部４６Ａ及び第２制御部４６Ｂは、ステップＳ１８の処理により受け付けられた入力に応じて、第１表示画面と第２表示画面とを切り替える制御を行う。具体的には、第１制御部４６Ａ及び第２制御部４６Ｂは、第１表示画面が表示されている状態で検査ボタンが指定された場合、第２表示画面を表示装置１２に表示する制御を行う。また、第１制御部４６Ａ及び第２制御部４６Ｂは、第２表示画面が表示されている状態で健康診断ボタンが指定された場合、第１表示画面を表示装置１２に表示する制御を行う。ステップＳ２２の処理が終了すると、処理はステップＳ１８に戻る。
【００６９】
ステップＳ２４で、第１制御部４６Ａは、ステップＳ１８の処理により受け付けられた入力が、検査項目を選択する操作に対応する入力か否かを判定する。この判定が否定判定となった場合は、処理はステップＳ２８に移行し、肯定判定となった場合は、処理はステップＳ２６に移行する。
【００７０】
ステップＳ２６で、第３制御部４６Ｃは、前述したように、選択された検査項目についての上記グラフを表示領域６２に表示する制御を行う。ステップＳ２６の処理が終了すると処理はステップＳ１８に戻る。
【００７１】
ステップＳ２８で、第１制御部４６Ａは、ステップＳ１８の処理により受け付けられた入力が、印刷ボタンが指定されたことに対応する入力であるか否かを判定する。この判定が肯定判定となった場合は、処理はステップＳ３０に移行する。ステップＳ３０で、印刷制御部４８は、前述したように、印刷装置に対し、表示装置１２に表示されている画面を、１枚の用紙に収まるようにレイアウトして印刷する制御を行う。ステップＳ３０の処理が終了すると、処理はステップＳ１８に戻る。
【００７２】
一方、ステップＳ２８の判定が否定判定となった場合、表示制御処理が終了する。
【００７３】
以上説明したように、本実施形態によれば、検査項目毎に、一方向が検査結果の値を表すバー７０及び直近の検査結果を表すマーク７１を表示している。更に、所定の検査項目について、被検体個体の所定数分の検査結果を表す情報７３を、それぞれの検査結果の
頻度に応じて異なる濃度で上記一方向に沿って表示している。従って、診察者が直近の検査結果及び検査結果の頻度を一度に視認できる結果、診察者による被検体の適切な診断を支援することができる。
【００７４】
なお、上記実施形態では、被検体個体の所定数分の検査結果を表す情報７３を、それぞれの検査結果の頻度に応じて異なる濃度でバー７０の上記一方向に沿って表示する制御を行う場合について説明したが、これに限定されない。例えば、情報７３を、それぞれの検査結果の頻度に応じて異なる色でバー７０の上記一方向に沿って表示する制御を行ってもよい。
【００７５】
また、上記実施形態では、被検体個体の所定数分の検査結果を表す情報７３を表示する場合について説明したが、これに限定されない。例えば、被検体個体の品種と同一の品種の所定数分の検査結果を表す情報７３を表示する形態としてもよい。この場合、診察者は、被検体個体ではなく、被検体個体の品種と同一の品種の検査結果の傾向を把握することができる。また、この場合、情報７３の表示に用いる検査結果として、検査結果テーブル１６から取得可能な被検体個体の品種と同一の品種の全ての検査結果、又は直近の一部（例えば、直近の１年分）の検査結果を適用する形態が例示される。また、被検体個体の所定数分の検査結果を表す情報と、被検体個体の品種と同一の品種の所定数分の検査結果を表す情報とを、ユーザ操作によって切り替えて表示してもよい。
【００７６】
また、例えば、図１１に示すように、情報７３として、被検体個体の所定数分の検査結果を表す情報及び被検体個体の品種と同一の品種の所定数分の検査結果を表す情報の双方を表示する形態としてもよい。図１１では、被検体個体の所定数分の検査結果を表す情報及び被検体個体の品種と同一の品種の所定数分の検査結果を表す情報を、バー７０の正面視下側に縦に並べて表示する例を示している。また、例えば、被検体個体の所定数分の検査結果を表す情報と、被検体個体の品種と同一の品種の所定数分の検査結果を表す情報との色を異ならせて表示してもよい。また、例えば、被検体個体の所定数分の検査結果を表す情報をバー７０の正面視上側に表示し、被検体個体の品種と同一の品種の所定数分の検査結果を表す情報をバー７０の正面視下側に表示してもよい。なお、図１１では、図５〜図９に示した表示領域６４における検査項目のうち、２つの検査項目を拡大した状態を示している。なお、この状態は、後述する図１２〜図１８でも同様である。
【００７７】
また、上記実施形態において、図１２に示すように、情報７３をヒストグラムによって表示する形態としてもよい。図１２では、頻度が高いほど濃度が高く、かつバー７０の検査結果を表す一方向に直交する方向（画面の正面視縦方向）に矩形の点が長くなる例を示している。また、例えば、図１３に示すように、情報７３を同一の色及び濃度のヒストグラムによってバー７０の上記一方向に沿って表示する形態としてもよい。
【００７８】
また、上記実施形態では、被検体個体の所定数分の検査結果を表す情報を、バー７０の上記一方向に沿って１つの軸上に表示する場合について説明したが、これに限定されない。例えば、図１４に示すように、同一の値の検査結果が複数存在する場合、同一の値の検査結果を表す情報を、バー７０の上記一方向に沿って異なる軸上に表示する形態としてもよい。図１４では、１つの検査結果を表す点の形が円形であり、かつ軸の数が３つである例を示している。また、この場合、図１４に示すように、同一の値の検査結果を表す情報を異なる軸上に１つの点によって表示する際に、点の一部を重ならせて表示する形態が例示される。この場合、重なっている部分の濃度が高く表示されることとなる。
【００７９】
また、この形態例において、図１５に示すように、頻度が軸の数を超える検査結果については、頻度が軸の数以下の検査結果と異なる色で表示する形態としてもよい。図１５では、頻度が４を超える検査結果の色が異なっている例を示している。
【００８０】
また、上記実施形態では、被検体個体の所定数分の検査結果を表す情報７３の形として、矩形を適用した場合について説明したが、これに限定されない。例えば、図１６に示すように、被検体個体の所定数分の検査結果を表す情報７３の形として、楕円形を適用する形態としてもよい。また、この形態例において、図１７に示すように、バー７０の検査結果を表す方向に直交する方向に沿って、中心から遠くなるほど濃度を低くしてもよい。
【００８１】
また、上記実施形態において、検査結果の頻度に、古い検査結果ほど小さい重み値を用いた重み付けを行ってもよい。この場合、直近の３年分の検査結果の重み値として１を用い（すなわち、１回の検査結果を頻度１回とする）、直近の３年以前でかつ６年までの検査結果の重み値として０．５を用い（すなわち、２回の検査結果を頻度１回する）、直近の６年以前の検査結果の重み値として０．２５（すなわち、４回の検査結果を頻度１回とする）を用いる形態が例示される。
【００８２】
また、上記実施形態において、被検体個体の所定数分の検査結果の数、及び所定数分の検査結果の数における所定の時点よりも前の検査結果の割合の少なくとも一方に応じて、所定数分の検査結果を表す情報７３の表示状態を異ならせる形態としてもよい。具体的には、例えば、被検体個体の所定数分の検査結果の数が閾値以下の場合に、閾値以上の場合とは異なる色で情報７３を表示する。また、例えば、被検体個体の所定数分の検査結果の数における所定の時点よりも前の検査結果の割合が閾値以下の場合に、閾値以上の場合とは異なる色で情報７３を表示する。また、例えば、図１８に示すように、被検体個体の所定数分の検査結果の数が閾値以下の場合に、ヒストグラムを離散的に表示する。これらの形態例によって、検査結果の数及び検査結果の古さの少なくとも一方によって、検査結果の頻度の精度を把握することができる。
【００８３】
また、上記実施形態では、直近の全ての検査項目について情報７３を表示する場合について説明したが、これに限定されない。例えば、診察者により選択されることによって受付部４０により受け付けられた検査項目について情報７３を表示する形態としてもよい。また、例えば、判定部４４により検査結果が異常値であると判定された検査項目について情報７３を表示する形態としてもよい。
【００８４】
また、上記実施形態において、表示領域６２に表示するグラフについて、検査結果が院内検査により得られた結果であるか、又は院外検査により得られた結果であるかを区別可能に表示してもよい。この場合、図１９に示すように、院内検査により得られた検査結果の履歴を表すグラフと、院外検査により得られた検査結果の履歴を表すグラフとを正面視縦に並べて表示する形態が例示される。また、例えば、図６に示す表示領域６２のグラフにおいて、院内検査により得られた検査結果と、院外検査により得られた検査結果とでプロットする点の色を異ならせてもよい。
【００８５】
また、上記実施形態では、被検体として、人間以外の動物を適用する場合について説明したが、これに限定されない。被検体として、人間を適用する形態としてもよい。この場合、上記実施形態における品種は、人種に相当する。また、この場合、被検体の年代と同一の年代の所定数分の検査結果を表す情報を、それぞれの検査結果の頻度に応じて異なる色又は濃度で表示する形態としてもよい。また、この場合、被検体の親族の所定数分の検査結果を表す情報を、それぞれの検査結果の頻度に応じて異なる色又は濃度で表示する形態としてもよい。
【００８６】
また、上記実施形態において、第１表示画面及び第２表示画面の少なくとも一方に、更に、次回の健康診断の予定日を表示する形態としてもよい。この場合における予定日は、例えば、品種及び年齢毎に予め定められた健康診断の間隔（例えば、半年に一度）を、直近の健康診断の実施日に加算することによって求めることができる。
【００８７】
また、上記実施形態において、印刷ボタンが指定された場合に、更に、検査結果が異常値である検査項目の検査内容の説明文、及びその検査結果を改善するための方法（例えば、投薬、運動、及び食事等）を印刷する形態としてもよい。
【００８８】
また、上記実施形態において、表示領域６２に表示されたグラフが選択され、非表示指示（例えば、ダブルタップ操作等）が入力された場合に、選択されたグラフを非表示とする形態としてもよい。
【００８９】
また、上記実施形態において、例えば、受付部４０、取得部４２、判定部４４、表示制御部４６、及び印刷制御部４８といった各種の処理を実行する処理部（processing unit）のハードウェア的な構造としては、次に示す各種のプロセッサ（processor）を用いることができる。上記各種のプロセッサには、前述したように、ソフトウェア（プログラム）を実行して各種の処理部として機能する汎用的なプロセッサであるＣＰＵに加えて、ＦＰＧＡ等の製造後に回路構成を変更可能なプロセッサであるプログラマブルロジックデバイス（Programmable Logic Device：PLD）、ＡＳＩＣ（Application Specific Integrated Circuit）等の特定の処理を実行させるために専用に設計された回路構成を有するプロセッサである専用電気回路等が含まれる。
【００９０】
１つの処理部は、これらの各種のプロセッサのうちの１つで構成されてもよいし、同種又は異種の２つ以上のプロセッサの組み合わせ（例えば、複数のＦＰＧＡの組み合わせや、ＣＰＵとＦＰＧＡとの組み合わせ）で構成されてもよい。また、複数の処理部を１つのプロセッサで構成してもよい。
複数の処理部を１つのプロセッサで構成する例としては、第１に、クライアント及びサーバ等のコンピュータに代表されるように、１つ以上のＣＰＵとソフトウェアの組み合わせで１つのプロセッサを構成し、このプロセッサが複数の処理部として機能する形態がある。第２に、システムオンチップ（System On Chip：SoC）等に代表されるように、複数の処理部を含むシステム全体の機能を１つのＩＣ（Integrated Circuit）チップで実現するプロセッサを使用する形態がある。このように、各種の処理部は、ハードウェア的な構造として、上記各種のプロセッサの１つ以上を用いて構成される。
【００９１】
更に、これらの各種のプロセッサのハードウェア的な構造としては、より具体的には、半導体素子などの回路素子を組み合わせた電気回路（circuitry）を用いることができる。
【００９２】
また、上記実施形態では、表示制御プログラム３０が記憶部２２に予め記憶（インストール）されている態様を説明したが、これに限定されない。表示制御プログラム３０は、ＣＤ−ＲＯＭ（Compact Disc Read Only Memory）、ＤＶＤ−ＲＯＭ（Digital Versatile Disc Read Only Memory）、及びＵＳＢ（Universal Serial Bus）メモリ等の記録媒体に記録された形態で提供されてもよい。また、表示制御プログラム３０は、ネットワークを介して外部装置からダウンロードされる形態としてもよい。
【符号の説明】
【００９３】
１０  表示制御装置
１２  表示装置
１４  ストレージ装置
１６  検査結果テーブル
２０  ＣＰＵ
２１  メモリ
２２  記憶部
２３  外部Ｉ／Ｆ
２４  入力部
２５  ネットワークＩ／Ｆ
２６  バス
３０  表示制御プログラム
４０  受付部
４２  取得部
４４  判定部
４６  表示制御部
４６Ａ  第１制御部
４６Ｂ  第２制御部
４６Ｃ  第３制御部
４８  印刷制御部
６０、６２、６４  表示領域
７０  バー
７１  マーク
７２  マーク
７３  情報
７４  チェックマーク
【図１】
2020052718.tif 000003
【図２】
2020052718.tif 000004
【図３】
2020052718.tif 000005
【図４】
2020052718.tif 000006
【図５】
2020052718.tif 000007
【図６】
2020052718.tif 000008
【図７】
2020052718.tif 000009
【図８】
2020052718.tif 000010
【図９】
2020052718.tif 000011
【図１０】
2020052718.tif 000012
【図１１】
2020052718.tif 000013
【図１２】
2020052718.tif 000014
【図１３】
2020052718.tif 000015
【図１４】
2020052718.tif 000016
【図１５】
2020052718.tif 000017
【図１６】
2020052718.tif 000018
【図１７】
2020052718.tif 000019
【図１８】
2020052718.tif 000020
【図１９】
2020052718.tif 000021